(57)【要約】【課題】戸パネルの取付作業が簡単に行え、施工時の調整や、施工後のメンテナンス作業などが簡便に行える連動引戸を提供する。【解決手段】連動機構が中央の戸パネルＰ２に対応するランナーユニット７と、前および後の各戸パネルＰ１・Ｐ３に対応する前ランナー８および後ランナー９と、ランナーユニット７の左右両端に軸支されるプーリー１０と、プーリー１０に巻き掛けられる無端状のワイヤー１１とを含む。ランナーユニット７および前後のランナー８・９と、中央、前、後の各戸パネルＰ１・Ｐ２・Ｐ３は、連結具５１を介して同行移動可能に連結する。全閉状態において中央パネルＰ２と重なる側の前ランナー８および後ランナー９は、ワイヤー１１の直線部分の対称位置に連結固定する。プーリー１０およびワイヤー１１の回転平面は、上レール２の下面と戸パネルＰ１・Ｐ２・Ｐ３との間に配置し、戸パネルＰ１・Ｐ２・Ｐ３の開閉空間に向かって露出させる。【選択図】図１
2005139720.tif 000002
【特許請求の範囲】
【請求項１】
上レール２および下レール３と、両レール２・３で引き違い開閉可能に支持される前、中央、後の戸パネルＰ１・Ｐ２・Ｐ３と、各戸パネルＰ１・Ｐ２・Ｐ３を連動開閉する連動機構とを備えている連動引戸であって、
連動機構は、中央の戸パネルＰ２に対応して上レール２で移行自在に案内支持されるランナーユニット７と、前および後の各戸パネルＰ１・Ｐ３に対応して、それぞれ上レール２で移行自在に案内支持される前ランナー８および後ランナー９と、ランナーユニット７の左右両端において回転自在に軸支されるプーリー１０と、プーリー１０に巻き掛けられる無端状のワイヤー１１とを含み、
ランナーユニット７および前後のランナー８・９と、中央、前、後の各戸パネルＰ１・Ｐ２・Ｐ３とが、連結具５１を介して同行移動可能に連結されて上下に対向しており、
全閉状態において中央の戸パネルＰ２と重なる側の前ランナー８および後ランナー９が、ワイヤー１１の直線部分の対称位置に連結固定されており、
プーリー１０およびワイヤー１１の回転平面が、上レール２の下面と戸パネルＰ１・Ｐ２・Ｐ３との間に配置されて、戸パネルＰ１・Ｐ２・Ｐ３の開閉空間に向かって露出していることを特徴とする連動引戸。
【請求項２】
全閉状態において中央パネルＰ２と重なる側の前ランナー８および後ランナー９のそれぞれに、ワイヤー１１の直線部分の有効ストロークと、戸パネルＰ１・Ｐ２・Ｐ３の左右幅との差寸法を吸収する長穴状のピン受穴４３が形成されており、
全ての戸パネルＰ１・Ｐ２・Ｐ３を側端面が面一状になる状態で全開放操作できる請求項１記載の連動引戸。
【請求項３】
ランナーユニット７が上レール２のレール枠Ｒ２の内部に収容される主枠２０と、主枠２０の両端に固定されてプーリー１０を軸支するプーリー台２１と、プーリー台２１に隣接して固定されるローラー台２２と、ローラー台２２で遊転自在に軸支されるローラー２３とを含み、
左右のローラー２３をレール枠Ｒ２で転動案内して、ランナーユニット７が移行自在に案内支持してある請求項１記載の連動引戸。
【請求項４】
主枠２０の端部とプーリー台２１との間に、プーリー台２１を左右方向へ移動操作してワイヤー１１の張力を調整する張力調整機構が設けられており、
張力調整機構が、プーリー台２１と対向する状態で主枠２０に装着されるねじ受体３８と、ねじ受体３８を介してプーリー台２１にねじ込まれて、プーリー台２１を左右方向へ移動操作する調整ねじ４０とで構成してある請求項３記載の連動引戸。
【請求項５】
左右のプーリー台２１の下面に前後一対のプーリー１０が回転自在に軸支されており、これら一対のプーリー１０でワイヤー１１が変向案内してある請求項３または４記載の連動引戸。
【請求項６】
各戸パネルＰ１・Ｐ２・Ｐ３の上端両側にピン状の連結具５１が設けられており、
前ランナー８および後ランナー９と、ランナーユニット７のローラー台２２とのそれぞれに、連結具５１を受け入れるピン受穴３１・４３・４８と、連結具５１をピン受穴３１・４３・４８へ向かって落ち込み案内する傾斜案内面３２・４４・４９が形成してある請求項３から５のいずれかに記載の連動引戸。
【請求項７】
前ランナー８および後ランナー９のそれぞれに、連結腕４２が一体に設けられており、
両連結腕４２が、ワイヤー１１の直線部分の対称位置に固定した操作具３５に対して、係脱自在に係合装着してある請求項１から６のいずれかに記載の連動引戸。
【発明の詳細な説明】
【技術分野】
【０００１】
本発明は、一対のプーリーに巻き掛けられるワイヤーなどの無端帯を連動要素にして連動機構が構成してある連動引戸に関する。
【背景技術】
【０００２】
無端帯を連動要素とする連動引戸の基本構造は特許文献１に公知である。そこでは、前後に重なる３個の戸パネルと、中央の戸パネルの上面に設けた連動機構とで連動引戸が構成されている。連動機構は、中央の戸パネルの上面左右に配置されて、縦軸まわりに回転自在に支持されるスプロケットホィールと、両スプロケットホィールに巻き掛けられるチェーンと、直線状のチェーン部分の対称位置に設けられて、前および後の戸パネルとチェーンとを連結する連結金具などで構成してある。
【０００３】
本発明の連動引戸では、連動機構の構成部材の全てが予め上レールに組み込んであって、各戸パネルの取付作業を簡単に行うことができるが、この種の連動引戸は特許文献２に提案されている。そこでは、上レールと、上レールでそれぞれスライド案内される中央スライダーと、前スライダーと、後スライダーと、中央スライダーの上面左右に軸支される一対のプーリーと、両プーリーに巻き掛けられる無端状のロープと、前後のスライダーとロープを連結する金具などで連動機構を構成している。これらの連動機構は上レールの上面側に配置してあり、そのため戸パネルを連結するためのピンが、前後および中央の各スライダーに設けられて、上レールの下面側に突出している。
【０００４】
【特許文献１】特公昭５８−３３３５４号公報（第２頁第３欄２３行目、第４図）
【特許文献２】特開２０００−３４５７６９号公報（段落番号００１２、図２）
【発明の開示】
【発明が解決しようとする課題】
【０００５】
特許文献１の連動機構においては、各戸パネルの上部に固定したランナーを上レールで移行案内したうえで、前後の戸パネル用のランナー枠とチェーンとを連結金具で連結しており、ランナーおよび連動機構の構成部品の全てを上レール内に収めてある。そのため、ランナーの取り付けと連動機構の組み込みとを同時に行う必要があり、一連の施工に多くの手間が掛かるのを避けられない。
【０００６】
その点、特許文献２の連動引戸においては、連動機構が予め上レールに組み込んであるので、戸パネルの取付作業を極めて簡単に行える。しかし、連動機構が上レールの上面側に組み込んであるため、例えば伸びたロープの張力を調整し直すような場合に、連動機構を上レールごと取り外す必要があり、点検や調整、あるいは部品の交換などに多くの手間が掛かる。戸パネルを取り付ける場合には、その上端面に形成したピン穴をレールの下面に突出したピンに嵌まり込むが、ピンとピン穴との位置を正確に合致させる必要があり、ピンが戸パネルで覆い隠されることもあって取り付けに手間取る。
【０００７】
前後の戸パネルは、一対のプーリーに巻き掛けたロープの直線部分を互いに逆向きに移動して開口を開閉するが、ロープの直線部分は一対のプーリーの中心間距離によって既定され、多くの場合、プーリーの中心間距離は戸パネルの左右幅より小さい。換言すると、各戸パネルの開閉ストロークは戸パネルの左右幅より小さい。そのため、連動引戸を全開放した状態において、３個の戸パネルの側端が階段状に重なり、中央および前（または後）側の戸パネルを完全に開放できない。
【０００８】
上レールに中央スライダーと前後のスライダーとをスライド案内するガイド溝を設け、さらに、パネル連結用のピンを案内するガイド溝を設ける必要があるので、上レールの断面構造が複雑で、上レールのコストが高く付く。上レールを鴨居に取り付けるために、上レールとは別にベース枠を必要とする点も連動機構のコストを押し上げている。
【０００９】
本発明の目的は、戸パネルの取付作業を簡単に行えるのはもちろん、施工時の調整や、施工後のメンテナンス作業などが簡便に行える連動引戸を提供することにある。本発明の目的は、戸パネルを全開放した状態において、側端面が面一状になる状態で全ての戸パネルを全開放して、全開放時の開口幅を拡大できる連動引戸を提供することにある。
【課題を解決するための手段】
【００１０】
本発明の連動引戸は、上レール２および下レール３と、両レール２・３で引き違い開閉可能に支持される前、中央、後の戸パネルＰ１・Ｐ２・Ｐ３と、各戸パネルＰ１・Ｐ２・Ｐ３を連動開閉する連動機構とを備えている。連動機構は、中央の戸パネルＰ２に対応して上レール２で移行自在に案内支持されるランナーユニット７と、前および後の各戸パネルＰ１・Ｐ３に対応して、それぞれ上レール２で移行自在に案内支持される前ランナー８および後ランナー９と、ランナーユニット７の左右両端において回転自在に軸支されるプーリー１０と、プーリー１０に巻き掛けられる無端状のワイヤー１１とを含む。ランナーユニット７および前後のランナー８・９と、中央、前、後の各戸パネルＰ１・Ｐ２・Ｐ３とは、連結具５１を介して同行移動可能に連結されて上下に対向している。全閉状態において中央の戸パネルＰ２と重なる側の前ランナー８および後ランナー９は、ワイヤー１１の直線部分の対称位置に連結固定されている。プーリー１０およびワイヤー１１の回転平面は、上レール２の下面と戸パネルＰ１・Ｐ２・Ｐ３との間に配置されて、戸パネルＰ１・Ｐ２・Ｐ３の開閉空間に向かって露出している（請求項１）。
【００１１】
全閉状態において中央パネルＰ２と重なる側の前ランナー８および後ランナー９のそれぞれに、ワイヤー１１の直線部分の有効ストロークと、戸パネルＰ１・Ｐ２・Ｐ３の左右幅との差寸法を吸収する長穴状のピン受穴４３を形成する。以て、全ての戸パネルＰ１・Ｐ２・Ｐ３を側端面が面一状になる状態で全開放操作できるようにする（請求項２）。
【００１２】
ランナーユニット７は、上レール２のレール枠Ｒ２の内部に収容される主枠２０と、主枠２０の両端に固定されてプーリー１０を軸支するプーリー台２１と、プーリー台２１に隣接して固定されるローラー台２２と、ローラー台２２で遊転自在に軸支されるローラー２３とを含む。左右のローラー２３をレール枠Ｒ２で転動案内して、ランナーユニット７を移行自在に案内支持する（請求項３）。
【００１３】
主枠２０の端部とプーリー台２１との間には、プーリー台２１を左右方向へ移動操作してワイヤー１１の張力を調整する張力調整機構を設ける。この張力調整機構は、プーリー台２１と対向する状態で主枠２０に装着されるねじ受体３８と、ねじ受体３８を介してプーリー台２１にねじ込まれて、プーリー台２１を左右方向へ移動操作する調整ねじ４０とで構成されている（請求項４）。
【００１４】
左右のプーリー台２１の下面に前後一対のプーリー１０を回転自在に軸支し、これら一対のプーリー１０でワイヤー１１を変向案内する（請求項５）。
【００１５】
各戸パネルＰ１・Ｐ２・Ｐ３の上端両側には、ピン状の連結具５１を設け、前ランナー８および後ランナー９と、ランナーユニット７のローラー台２２とのそれぞれに、連結具５１を受け入れるピン受穴３１・４３・４８と、連結具５１をピン受穴３１・４３・４８へ向かって落ち込み案内する傾斜案内面３２・４４・４９が形成されている（請求項６）。
【００１６】
前ランナー８および後ランナー９のそれぞれに、連結腕４２を一体に設け、両連結腕４２は、ワイヤー１１の直線部分の対称位置に固定した操作具３５に対して、係脱自在に係合装着する（請求項７）。
【発明の効果】
【００１７】
本発明では、ランナーユニット７、前ランナー８および後ランナー９と、ランナーユニット７の左右両端において回転自在に軸支されるプーリー１０と、プーリー１０に巻き掛けられる無端状のワイヤー１１などで連動機構を構成し、前ランナー８および後ランナー９を、ワイヤー１１の直線部分の対称位置に連結固定して、前または後の戸パネルＰ１・Ｐ３を開閉操作するとき、前後および中央の戸パネルＰ１・Ｐ２・Ｐ３が連動開閉できるようにした。そのうえで、連動機構の主要部を構成するプーリー１０およびワイヤー１１の回転平面が、上レール２の下面と戸パネルＰ１・Ｐ２・Ｐ３との間に配置されて、戸パネルＰ１・Ｐ２・Ｐ３の開閉空間に向かって露出するようにしたので、例えばワイヤー１１の装着や交換、あるいは施工後のメンテナンス作業などが、レール２に邪魔されることなく簡便に行える。連動機構が予め上レール２の下面に組み込んであるので、施工時には各戸パネルＰ１・Ｐ２・Ｐ３を対応するランナー８・９およびランナーユニット７に取り付けるだけでよく、施工の手間を大幅に軽減できる連動引戸が得られる（請求項１）。
【００１８】
全閉状態において中央パネルＰ２と重なる側の前ランナー８および後ランナー９のそれぞれに、長穴状のピン受穴４３を形成した連動機構によれば、戸パネルＰ１・Ｐ２・Ｐ３をワイヤー１１の直線部分の有効ストロークＳ分だけ開放したのち、さらにピン受穴４３の左右長さ分だけ戸パネルＰ１・Ｐ２・Ｐ３を動かすことができるので、全ての戸パネルＰ１・Ｐ２・Ｐ３の側端面が面一状になる状態で全開放操作でき、戸パネルが階段状に重ならざるを得なかった従来の連動引戸に比べて、全開放時の開口幅を拡大することができる（請求項２）。
【００１９】
レール枠Ｒ２に収容される主枠２０と、主枠２０の両端に固定されるプーリー台２１、およびローラー台２２と、ローラー台２２で遊転自在に軸支されるローラー２３などで構成したランナーユニット７によれば、プーリー１０やワイヤー１１を含む連動機構の構成部品の殆どをランナーユニット７に組み付けてユニット部品化することができるので、レール２に対する連動機構の組み付けを簡便化できる。ユニット部品化した状態で組付部品の動作を確認できるので、例えばレール２に組み込んだあとで回転不良や係合不良などを生じる余地がなく、その分だけランナーユニット７および連動機構の信頼性を向上できる（請求項３）。
【００２０】
主枠２０に装着されるねじ受体３８と、ねじ受体３８を介してプーリー台２１にねじ込まれる調整ねじ４０とで張力調整機構を構成し、調整ねじ４０でプーリー台２１を左右方向へ移動操作してワイヤー１１の張力を調整できるようにした連動機構によれば、施工時の張力調整を容易に行えるのはもちろんのこと、伸び変形したワイヤー１１を緊張させるような場合でも、調整ねじ４０を操作するだけで簡単に調整できる。最小必要限度の部品で張力調整機構を構成するので、その分だけ連動機構の製造コストを削減できる（請求項４）。
【００２１】
左右のプーリー台２１の下面に前後一対のプーリー１０を回転自在に軸支し、これら一対のプーリー１０でワイヤー１１を変向案内するようにした連動機構によれば、左右一対のプーリーにワイヤーを巻き掛ける場合に比べて、プーリー１０の直径寸法を半分以下にして、左右のプーリー１０の中心間距離、すなわちワイヤー１１の直線部分の有効ストロークＳを大きくできる（請求項５）。
【００２２】
前後のランナー８・９と、ローラー台２２とのそれぞれに、連結具５１を受け入れるピン受穴３１・４３・４８と、連結具５１をピン受穴３１・４３・４８へ向かって落ち込み案内する傾斜案内面３２・４４・４９とを形成した連動機構によれば、下レール３で支持した前または後の戸パネルＰ１・Ｐ３を左右へ開閉操作するだけで、連結ピン５３を傾斜案内面４４・４９で案内しながらピン受穴４３・４８に連結できる。さらに、中央の戸パネルＰ２は、連結ピン５３を傾斜案内面３２に接当した状態で、戸パネルＰ２を左右方向へ動かすことにより、連結ピン５３を傾斜案内面３２で案内してピン受穴３１に落ち込み係合できるので、前後および中央の戸パネルＰ１・Ｐ２・Ｐ３と、前後のランナー８・９およびランナーユニット７との組み付けが容易に行え、施工時の手間を省くことができる（請求項６）。
【００２３】
前ランナー８および後ランナー９のそれぞれに、連結腕４２を一体に設け、これらの連結腕４２をワイヤー１１の直線部分の対称位置に固定した操作具３５に対して係脱自在に係合装着した連動機構によれば、必要に応じて連結腕４２を操作具３５から分離することができるので、例えばワイヤー１１の交換作業を簡単に行うことができるし、プーリー１０の動作確認や張力の確認など点検作業を容易に行える（請求項７）。
【発明を実施するための最良の形態】
【００２４】
図１ないし図６は本発明に係る連動引戸の実施例を示す。図２において連動引戸は、開口枠１に装着される上レール２および下レール３と、両レール２・３で引き違い開閉可能に支持される前、中央、後の戸パネルＰ１・Ｐ２・Ｐ３と、これらの戸パネルを連動開閉する連動機構などで構成する。各戸パネルＰ１・Ｐ２・Ｐ３の下端両側には戸車４が埋設固定してあり、これらの戸車４はそれぞれ下レール３に設けたＶ字状のレール溝に沿って転がり移動できる。前および後の戸パネルＰ１・Ｐ３の左右には、それぞれ把手５が設けてある。
【００２５】
図３において連動機構は、中央の戸パネルＰ２に対応して上レール２で移行自在に案内支持されるランナーユニット７と、前および後の各戸パネルＰ１・Ｐ３に対応して、それぞれ上レール２で移行自在に案内支持される前ランナー８、および後ランナー９と、ランナーユニット７の左右両端において回転自在に軸支されるプーリー１０と、プーリー１０に巻き掛けられる無端状のワイヤー１１などで構成する。
【００２６】
図１において上レール２は、下向きに開口する前、中央、後の３個のレール枠Ｒ１・Ｒ２・Ｒ３を一定間隔置きに形成したアルミニウム条材からなり、その前端に化粧枠１３を係合装着してある。各レール枠Ｒ１・Ｒ２・Ｒ３は断面台形状に形成してあり、その内面前後にガイドレール１４が対向状に突設してある。各レール枠Ｒ１・Ｒ２・Ｒ３は、その開口面に連続する水平壁１８を介して連続している。図８に示すように上レール２の両端の水平壁１８は、開口枠１の縦枠に固定したＬ字状の取付金具１５にビス１６で締結固定され、さらに各レール枠Ｒ１・Ｒ２・Ｒ３の上壁の複数箇所が、開口枠１の上框にビス１７で固定されている。従って、両ビス１６・１７を取り外すだけで、上レール２および連動機構の全体を開口枠１から分離できる。
【００２７】
図４および図５においてランナーユニット７は、中央のレール枠Ｒ２の内部に収容される主枠２０と、主枠２０の両端に固定されてプーリー１０を軸支するプーリー台２１と、プーリー台２１に隣接して固定されるローラー台２２と、ローラー台２２で遊転自在に軸支されるローラー２３などで構成してある。
【００２８】
主枠２０は下向きの開口する断面コ字状のアルミニウム条材からなり、その両端の前後壁にローラー２３を露出させるための窓２４が開口している。プーリー台２１は、平面視でＴ字状に形成されるベース２５と、ベース２５の上面に固定されるプラスチック製の調整ブロック２６とで構成する。ベース２５はプレス金具からなり、その下面前後に一対のプーリー１０が、それぞれ支軸３４を介して遊転自在に軸支してある。ベース２５の前後端に折曲げた翼片２５ａは、戸パネルＰ１・Ｐ２・Ｐ３の開閉ストローク端を規定するストッパーを兼ねる。調整ブロック２６の側端面には、後述する張力調整機構用のねじ穴２７を形成してある。
【００２９】
ローラー台２２は、横長長方形状のプラスチックブロックからなり、その下面にガイド壁２８が張り出し形成されている。ローラー台２２の一側には、前後貫通状のローラー溝２９と、ローラー溝２９と直交するピン穴３０とを形成してある。ガイド壁２８の下面中央には、後述する連結具５１用のピン受穴３１が形成され、ピン受穴３１の下面開口の前後および左右のそれぞれに、連結ピン５３をピン受穴３１へ向かって落ち込み案内する傾斜案内面３２が形成されている。この実施例では、緩やかに傾斜する傾斜面と、急に傾斜する傾斜面とで傾斜案内面３２を形成した。
【００３０】
ローラー台２２を主枠２０の内部に装填し、窓２４を介してローラー２３をローラー溝２９に差し込み装填したうえで、主枠２０の上面からピン穴３０にピン３３を挿通し固定することにより、ローラー台２２を主枠２０と一体化し、ローラー２３を遊転自在に軸支できる。ローラー２３はプーリー１０と同じ部品を流用しており、その周面のローラー溝２９が中央のレール枠Ｒ２のガイドレール１４で移行案内される（図１参照）。ローラー台２２を装着したのち、プーリー台２１を主枠２０の両側端に装着することにより、ランナーユニット７とプーリー１０およびワイヤー１１などを１個のユニット部品としてまとめることができる。
【００３１】
主枠２０にプーリー台２１を装着する際に、各プーリー１０にワイヤー１１を巻き掛け、張力調整機構によってプーリー台２１を移動操作して、ワイヤー１１の張力を適正化する。ワイヤー１１はステンレス製の線材の周囲にポリアミド樹脂を被覆した複合線材からなり、その端部どうしが操作具３５で分離不能にかしめ固定してある。操作具３５は、両端にフランジ３６が張り出してあるアルミニウム製の筒軸からなり、その筒軸部分をかしめ変形することにより、プーリー１０に巻き掛けたワイヤー１１の直線部分の対称位置に固定される（図６参照）。
【００３２】
張力調整機構は主枠２０の端部と各プーリー台２１との間に設けられて、プーリー台２１を左右方向へ移動操作することによりワイヤー１１の張力を調整する。張力調整機構は、プーリー台２１と対向する状態で主枠２０の側端にあてがわれるねじ受体３８と、ねじ受体３８に通設した挿通穴３９を介して、プーリー台２１のねじ穴２７にねじ込まれる調整ねじ４０とで構成する。図５に示すように、六角穴付ボルトからなる調整ねじ４０の操作頭部は、レール枠Ｒ２の下面開口に臨んでいるので、ランナーユニット７を上レール２に組み付けた状態のままで調整ねじ４０を操作工具で締緩操作できる。
【００３３】
前ランナー８および後ランナー９は、前後のレール枠Ｒ１・Ｒ３でそれぞれ移行案内される第１ランナー８Ａ・９Ａ、および第２ランナー８Ｂ・９Ｂで構成する。図７において第１ランナー８Ａ・９Ａは、横長長方形状のプラスチックブロックからなり、その前後面にガイドレール１４で移行案内されるスライド溝４１（図１参照）を形成し、ブロック一側後面（または一側前面）に連結腕４２が一体に設けてある。第１ランナー８Ａ・９Ａの下面には、戸パネルＰ１・Ｐ３に装着した連結ピン５３を受け入れるピン受穴４３が形成され、その一側に連結ピン５３をピン受穴４３へ向かって落ち込み案内する傾斜案内面４４が形成してある。ワイヤー１１の直線部分の有効ストロークと、戸パネルＰ１・Ｐ２・Ｐ３の左右幅との差寸法を吸収するために、ピン受穴４３は左右に長い長穴で形成する。その作用は後述する。連結腕４２の突端には、先の操作具３５と係合する断面Ｃ字状の係合リング４５が一体に形成してある（図１参照）。
【００３４】
第２ランナー８Ｂ・９Ｂは、逆台形状のプラスチックブロックからなり、その前後面にガイドレール１４で移行案内されるスライド溝４６を形成し（図１参照）、ブロック一側に後述するキャッチャー５９で係合捕捉される縦方向の軸部４７を形成してある（図６参照）。軸部４７の下面に、戸パネルＰ１・Ｐ３に装着した連結ピン５３を受け入れるピン受穴４８が形成されており、その一側に連結ピン５３をピン受穴４８へ向かって落ち込み案内する傾斜案内面４９が形成されている。図７において第１ランナー８Ａ・９Ａと第２ランナー８Ｂ・９Ｂとは、各々の傾斜案内面４４・４９が互いに対向する状態で、しかも第２ランナー８Ｂ・９Ｂをキャッチャー５９で捕捉できる向きにした状態でレール枠Ｒ１・Ｒ３に組み込まれる。
【００３５】
中央、前、後の各戸パネルＰ１・Ｐ２・Ｐ３と、ランナーユニット７および前後のランナー８・９とは、各戸パネルＰ１・Ｐ２・Ｐ３の上面両側に設けた連結具５１を介して同行移動可能に連結する。図７において連結具５１は、戸パネルＰ１・Ｐ２・Ｐ３に埋設固定される筒状のケース５２と、ケース５２で上下スライド自在に案内支持される連結ピン５３と、ケース５２の底壁と連結ピン５３との間に配置されて連結ピン５３を上向きに押し出し付勢するばね５４とからなる。連結ピン５３の上端には、他の軸部分より小径で先端が丸められた連結軸５５が形成してある。この連結軸５５が、先に説明したピン受穴３１・４３・４９に嵌まり込む。
【００３６】
上レール２の左右端のそれぞれに、閉じ操作した前および後の戸パネルＰ１・Ｐ３を捕捉保持するためのキャッチャー５９を設けてある。図６および図７においてキャッチャー５９は、先の軸部４７を係合捕捉するＣ字形の弾性爪６０を備えており、その側端の板面が板ナット６１と、板面を介して板ナット６１にねじ込まれるビス６２とでレール枠Ｒ１・Ｒ３に固定してある。軸部４７を弾性爪６０に対して係脱することにより、前後の戸パネルＰ１・Ｐ３を閉じ位置に固定保持でき、あるいは開放操作できる。
【００３７】
以上のように構成した連動引戸は、次のようにして施工する。上レール２と連動機構とは予め組み立てた状態で施工現場に搬入する。同様に各戸パネルＰ１・Ｐ２・Ｐ３には、予め戸車４と連結具５１を組み付けてある。施工現場では、まず、下レール３を床面に埋設固定する。次に、上レール２の両端を縦枠に固定した取付金具１５にビス１６で仮固定し、その中途部をビス１７で上框に固定したうえで、ビス１６を最後までねじ込み上レール２を固定する。
【００３８】
各戸パネルＰ３・Ｐ２・Ｐ１は記載した順番で、次のようにして組み付ける。連結具５１の連結軸５５がレール枠Ｒ３（Ｒ２・Ｒ１）に入り込む状態で、戸車４を下レール３のレール溝に載せ、戸パネルＰ３の荷重を戸車４で支持する。この状態のままで、戸パネルＰ３を例えば左側へスライド操作すると、左側の連結軸５５が第２ランナー９Ｂの傾斜案内面４９に接当する。引き続き戸パネルＰ３を左側へスライド操作すると、第２ランナー９Ｂがキャッチャー５９で受け止められるので、連結軸５５は傾斜案内面４９に案内されてピン受穴４８に落ち込み係合する。
【００３９】
上記の状態の戸パネルＰ３を逆向きに移動操作すると、図９に示すように、右側の連結軸５５が第１ランナー９Ａの傾斜案内面４４に接当し、傾斜案内面４４に案内されてケース５２内へ押し込まれながら移行し、ピン受穴４３に落ち込み係合する。つまり、下レール３で支持した戸パネルＰ３を左右へ開閉操作するだけで、連結ピン５３をピン受穴４３・４８に連結して、後の戸パネルＰ３を後ランナー９に組み付けることができる。
【００４０】
中央の戸パネルＰ２は、左右の連結ピン５３が概ねローラー台２２の真下に位置する状態で組み付けるが、連結軸５５が傾斜案内面３２に接当した状態で、戸パネルＰ２を左右方向へ動かすことにより、連結ピン５３を傾斜案内面３２で案内しながらピン受穴３１に落ち込み係合できる。前の戸パネルＰ１は、後の戸パネルＰ３と同様にして、組み付けることができる。上記のように、本発明の連動引戸によれば、連結ピン５３とピン受穴４３・４８の位置を正確に合致させる必要もなく、前後の戸パネルＰ１・Ｐ３を組み付けることができるうえ、中央の戸パネルＰ２も、概ね位置合わせをするだけで、簡単に組み付けることができるので、施工現場における組み付けの手間を省くことができる。
【００４１】
次に連動引戸の開閉動作を説明する。３個の戸パネルＰ１・Ｐ２・Ｐ３が全閉位置にある状態では、図１０（ａ）に示すように、前の戸パネルＰ１が右端に位置し、後の戸パネルＰ３が左端に位置して開口枠１を閉止している。この状態から、前の戸パネルＰ１をキャッチャー５９から分離して左側へ開き操作すると、戸パネルＰ１のみが前側第１ランナー８Ａのピン受穴４３の左右長さ分だけ移動し、戸パネルＰ１に同行移動する連結ピン５３がピン受穴４３の側端部分で受け止められる。この後は、戸パネルＰ１に同行して第１ランナー８Ａが移動するので、ワイヤー１１が回転移動し、その結果、中央の戸パネルＰ２は図１０（ｂ）に示すように前側の戸パネルＰ１の移動量の半分だけ移動する。なお、後の戸パネルＰ３は、キャッチャー５９で捕捉されているので、前および中央の戸パネルＰ１・Ｐ２が動いても、閉じ位置を保持し続ける。
【００４２】
前の戸パネルＰ１をさらに開放操作すると、第１ランナー８Ａの連結腕４２の側端がランナーユニット７に固定したベース２５の翼片２５ａに受け止められ、前の戸パネルＰ１と中央の戸パネルＰ２とは、図１０（ｃ）に示すように側端面が面一状になる状態で前後に重なる。この時点で、前の戸パネルＰ１は、第１ランナー８Ａの有効ストロークＳ（図３参照）に、ピン受穴４３において連結ピン５３が左右移動した長さを加えた分だけ移動したことになる。さらに、前の戸パネルＰ１を開き操作すると、ワイヤー１１が回転しないまま、後側の第１ランナー９Ａが連結ピン５３に対してそのピン受穴４３の分だけ相対移動する。その結果、前の戸パネルＰ１と中央の戸パネルＰ２と後の戸パネルＰ３とは、図１０（ｄ）、および図６に示すように側端面が面一状になる状態で前後に重なる。
【００４３】
全開放した戸パネルＰ１・Ｐ２・Ｐ３を閉じ操作するときは、各戸パネルＰ１・Ｐ２・Ｐ３は図１１に示すように動く。前の戸パネルＰ１を閉じ操作すると、図１１（ｂ）に示すように連結ピン５３が第１ランナー８Ａのピン受穴４３の分だけ移動したのち、第１ランナー８Ａを同行移動操作してワイヤー１１を回転操作する。このとき、後の第１ランナー９Ａのピン受穴４３は連結ピン５３で受け止められているので、後の第１ランナー９Ａは移動できない。その結果、中央の戸パネルＰ２が前の戸パネルＰ１に同行して、ワイヤー１１の回転を吸収する。このときの中央の戸パネルＰ２の移動量は、前の戸パネルＰ１の移動量の半分である。
【００４４】
図１１（ｃ）に示すように、前の戸パネルＰ１と中央の戸パネルＰ２とが、第１ランナー８Ａの有効ストロークＳ分だけ移動し終わると、連結腕４２がベース２５の翼片２５ａに受け止められる。この時点以後は、後の第１ランナー９Ａがピン受穴４３の分だけ連結ピン５３に対して相対移動して、図１１（ｄ）に示すように、開口枠１を全閉する。因みに、後の戸パネルＰ３を閉じ操作することによっても、同様に開口枠１を全閉でき、開放操作も後の戸パネルＰ３を開き操作することによって同様に行える。
【００４５】
上記のように構成した連動引戸によれば、プーリー１０およびワイヤー１１の回転平面が、上レール２の下面と戸パネルＰ１・Ｐ２・Ｐ３との間に配置されて、戸パネルＰ１・Ｐ２・Ｐ３の開閉空間に向かって露出してあるので、戸パネルＰ１・Ｐ２・Ｐ３を取り付けた状態のままでワイヤー１１の張力を調整できる。部品交換を行う場合には、ビス１６・１７を取り外して上レール２を開口枠１から分離すればよい。
【００４６】
上記の実施例では、より大きな調整幅を確保するために、ランナーユニット７の両側に張力調整機構を設けたが、その必要はなく、ランナーユニット７の一側に限って張力調整機構が設けてあってもよい。連結具５１はランナーユニット７、前後のランナー８・９に設けることができる。
【図面の簡単な説明】
【００４７】
【図１】連動機構を示す縦断側面図である。
【図２】連動引戸の正面図である。
【図３】連動機構の平面図である。
【図４】ランナーユニットの分解斜視図である。
【図５】ランナーユニットの一部破断正面図である。
【図６】連動機構の横断平面図である。
【図７】ランナーの縦断正面図である。
【図８】レールの取り付け構造を示す断面図である。
【図９】戸パネルの取付状態を示す断面図である。
【図１０】連動引戸の開放動作を示す説明図である。
【図１１】連動引戸の閉じ動作を示す説明図である。
【符号の説明】
【００４８】
２  上レール
３  下レール
７  ランナーユニット
８  前ランナー
９  後ランナー
１０  プーリー
１１  ワイヤー
Ｐ１・Ｐ２・Ｐ３  戸パネル
【図１】
2005139720.tif 000003
【図２】
2005139720.tif 000004
【図３】
2005139720.tif 000005
【図４】
2005139720.tif 000006
【図５】
2005139720.tif 000007
【図６】
2005139720.tif 000008
【図７】
2005139720.tif 000009
【図８】
2005139720.tif 000010
【図９】
2005139720.tif 000011
【図１０】
2005139720.tif 000012
【図１１】
2005139720.tif 000013